(57)【要約】【課題】よりコンパクトな加湿手段を有する髪ケア装置を得る。【解決手段】空気吸込口２ａと空気吹出口２ｂとを設けた送風路２の外郭３に、送風路２内を流通する送風Ｗを分流する分岐通路１０を設け、この分岐通路１０にミスト発生部２０を設ける。発生させたミストＭを、送風路２の送風Ｗから分岐した空気流Ｆを利用して送出することができ、別個の通路に専用のファンや駆動モータを設けた場合に比べて、ヘアードライヤー１をよりコンパクトに構成できる。【選択図】図１
2009106339.tif 000002
【特許請求の範囲】
【請求項１】
空気吸込口から空気吹出口に至る送風路が形成され、前記送風路内に配置され前記空気吸込口から吸い込んだ空気を前記空気吹出口から送風するファンを備えた髪ケア装置において、
前記送風路の外郭に、該送風路内を流通する送風を分流する分岐通路を形成し、該分岐通路にミスト発生部を設けたことを特徴とする髪ケア装置。
【請求項２】
液体を貯留しておく液体貯留部と、前記分岐通路内の空気流に生じた負圧により当該液体貯留部から液体を吸引する液体吸引部とを備え、前記ミスト発生部は当該分岐通路内に吸引された液体を霧化することを特徴とする請求項１に記載の髪ケア装置。
【請求項３】
空気を冷却して結露させる水滴生成部を備え、前記ミスト発生部は、当該水滴生成部で生じた水滴を前記分岐通路内で霧化することを特徴とする請求項１に記載の髪ケア装置。
【発明の詳細な説明】
【技術分野】
【０００１】
本発明は、髪ケア装置に関する。
【背景技術】
【０００２】
空気吸込口から吸い込んだ空気を空気吹出口から吹き出す髪ケア装置において、従来、加湿手段を設けて送風中にミストを混入させるようにしたものが知られている（特許文献１参照）。
【特許文献１】実開平１−６６２０７号公報
【発明の開示】
【発明が解決しようとする課題】
【０００３】
しかしながら、上記従来の髪ケア装置では、本来の送風路の外側に別個に形成された加湿用送風路に加湿手段が設けられているため、装置全体が大型化してしまう上、当該加湿用送風路には専用のファンおよび駆動モータ等が設けられているため、構成が複雑化して重量増やコストアップが余儀なくされるという問題があった。
【０００４】
そこで、本発明は、よりコンパクトな加湿手段を有する髪ケア装置を得ることを目的とする。
【課題を解決するための手段】
【０００５】
請求項１の発明にあっては、空気吸込口から空気吹出口に至る送風路が形成され、上記送風路内に配置され上記空気吸込口から吸い込んだ空気を上記空気吹出口から送風するファンを備えた髪ケア装置において、上記送風路の外郭に、該送風路内を流通する送風を分流する分岐通路を形成し、該分岐通路にミスト発生部を設けたことを特徴とする。
【０００６】
請求項２の発明にあっては、液体を貯留しておく液体貯留部と、上記分岐通路内の空気流に生じた負圧により当該液体貯留部から液体を吸引する液体吸引部とを備え、上記ミスト発生部は当該分岐通路内に吸引された液体を霧化することを特徴とする。
【０００７】
請求項３の発明にあっては、空気を冷却して結露させる水滴生成部を備え、上記ミスト発生部は、当該水滴生成部で生じた水滴を上記分岐通路内で霧化することを特徴とする。
【発明の効果】
【０００８】
請求項１の発明によれば、送風路から分岐した分岐通路にミスト発生部を設けたので、送風路の送風から分岐した空気流を利用して、ミスト発生部で発生させたミストを送出することができ、別個の通路に専用のファンや駆動モータを設けた場合に比べて、髪ケア装置をよりコンパクトに構成することができる。
【０００９】
請求項２の発明によれば、分岐通路の空気流での負圧を利用して液体貯留部から液体を吸引してミストを発生させることができるため、余分な駆動力を必要とせず、髪ケア装置をよりコンパクトに構成することができる。
【００１０】
請求項３の発明によれば、空気中の水分を結露させてミストを発生させるため、タンク等が不要あるいは小型化できるようになって髪ケア装置をよりコンパクトに構成できる上、液体の補充が不要となる分、使い勝手を向上することができる。
【発明を実施するための最良の形態】
【００１１】
以下、本発明の好適な実施形態について、図面を参照しながら詳細に説明する。なお、以下の複数の実施形態には、同様の構成要素が含まれている。よって、以下では、同様の構成要素について共通の符号を付与するとともに、重複する説明を省略する。
【００１２】
（第１実施形態）図１は、本発明の第１実施形態にかかる髪ケア装置の断面図である。本実施形態にかかる髪ケア装置としてのヘアードライヤー１では、一端部（図中右方）に空気吸込口２ａと、他端部（図中左方）に空気吹出口２ｂと、を設けた送風路２が形成されている。送風路２の外郭３は略筒状に形成され、送風路２内にはファン４およびヒータ５を設置してある。
【００１３】
ファン４は、ステー６を介して外郭３の内側に取り付けたモータ７の駆動軸７Ｓに取り付けてある。モータ７の駆動によってファン４が回転することにより、空気吸込口２ａから吸い込んだ空気Ａを空気吹出口２ｂから吹き出すようになっている。なお、本実施形態ではファン４を軸流ファンとして構成した場合を開示したが、もちろん、これに限ることなくシロッコファンや遠心ファン等の送風可能なファン形状であればよい。
【００１４】
ヒータ５は、雲母等の耐熱薄板５ａを十字状に組み付けて、その外周にニクロム線等の電気抵抗発熱線５ｂを巻回して構成されている。
【００１５】
送風路２内で、ファン４は送風Ｗの上流側に配置され、ヒータ５はファン４より下流側に配置されている。ヒータ５を作動させた状態では、ファン４で発生した送風Ｗがヒータ５で加熱され、空気吹出口２ｂから温風が吹き出される。
【００１６】
ここで、送風路２の外郭３には、送風路２内を流通する送風Ｗを分流する分岐通路１０を形成し、この分岐通路１０にミスト発生部２０を設けてある。
【００１７】
本実施形態では、外郭３の長さ方向（図中左右方向）の略中央部下側に開口部１１を形成し、この開口部１１から外郭３に沿ってダクト１２を空気吹出口２ｂ方向に延設して、このダクト１２の筒内を分岐通路１０としてある。ダクト１２は外郭３と一体に成形されている。
【００１８】
ダクト１２の下面には取付ボス部１２ａが設けられており、この取付ボス部１２ａに、液体を貯留しておく液体貯留部としてのタンク２２が取り付けられている。タンク２２の口部２２ａは取付ボス部１２ａに着脱自在となっている。したがって、液体を補充する際には、取付ボス部１２ａからタンク２２を外して、栓２２ｂを開け、タンク２２内に液体を注入する。なお、タンク２２には、水の他、整髪用の液体を貯留してもよい。
【００１９】
そして、このタンク２２内の液体を分岐通路１０内に導入するために、吸引管２１が設けられている。この吸引管２１は、タンク２２の口部２２ａを封止する栓２２ｂを貫通し、その下端部２１ａはタンク２２の内方に挿入される一方、上端部２１ｂは分岐通路１０の略中央部まで突出している。なお、上端部２１ｂは斜めに切断されて、先端開口部２１ｃは下流側を向いている。
【００２０】
上記構成において、ファン４を作動させて送風Ｗを発生させると、当該送風Ｗは空気吹出口２ｂから吹き出すとともに、その一部が開口部１１から分岐通路１０に流入する。すると、分岐通路１０の空気流Ｆによって吸引管２１の先端開口部２１ｃ近傍に負圧が生じ、タンク２２内の液体が吸引管２１に吸引されて、先端開口部２１ｃからミストＭとなって空気流Ｆ内に混入し、分岐通路１０の先端出口１０ａから吹き出される。すなわち、本実施形態では、分岐通路１０内の先端開口部２１ｃ付近がミスト発生部２０となる。
【００２１】
以上の本実施形態では、送風路２の外郭３に、該送風路２内を流通する送風Ｗを分流する分岐通路１０を形成し、該分岐通路１０にミスト発生部２０を設けた。このため、発生させたミストＭを送風路２に生じた送風Ｗの分流（空気流Ｆ）を利用して送出することができ、別個の通路に専用のファンや駆動モータを設けた場合に比べて、髪ケア装置（本実施形態ではヘアードライヤー１）をよりコンパクトに構成することができる。
【００２２】
また、本実施形態では、液体を貯留しておく液体貯留部としてのタンク２２と、分岐通路１０内の空気流Ｆに生じた負圧により当該タンク２２から液体を吸引する液体吸引部としての吸引管２１を備え、ミスト発生部２０で当該分岐通路１０内に吸引された液体が霧化されるようにした。このため、余分な駆動力を必要とせず、髪ケア装置をよりコンパクトに構成することができる。
【００２３】
（第２実施形態）図２は、本発明の第２実施形態にかかる髪ケア装置の断面図である。この図２に示すように、本実施形態にかかる髪ケア装置としてのヘアードライヤー１Ａは、基本的に第１実施形態のヘアードライヤー１と同様に、空気吸込口２ａから空気吹出口２ｂに至る送風路２の上流側にファン４を設置し、下流側にヒータ５を設置してある。そして、送風路２の外郭３に、送風路２内を流通する送風Ｗを分流する分岐通路１０を設け、この分岐通路１０にミスト発生部２０Ａを設けてある。
【００２４】
ただし、本実施形態では、空気中の水分を結露させるために冷却するペルチェユニット２３と、このペルチェユニット２３に当接して冷却されるとともに分岐通路１０内に露出する結露部２４と、を有する水滴生成部２５を設けてある。
【００２５】
ペルチェユニット２３は、熱電素子２３ａを挟んで一対の電極板２３ｂ，２３ｃを配置して概ね構成してあり、両電極板２３ｂ，２３ｃ間に通電することにより、一方の電極板２３ｂが冷却されるとともに、他方の電極板２３ｃが加熱され、その電極板２３ｃの熱を放熱フィン２３ｄによって逃がすようになっている。
【００２６】
また、結露部２４は冷却側の電極板２３ｂから一体に突設して、その先端部２４ａを分岐通路１０の内方に配置してある。したがって、ペルチェユニット２３を作動させると、冷却側の電極板２３ｂによって結露部２４が冷却され、その結露部２４に空気中の水分が水滴ｄとなって結露する。結露部２４に結露した水滴ｄは、分岐通路１０内の空気流Ｆによって気化されてミストＭとなる。すなわち、本実施形態では、分岐通路１０内の結露部２４付近がミスト発生部２０Ａとなる。
【００２７】
なお、本実施形態では、ペルチェユニット２３は、放熱フィン２３ｄを露出させた状態でケース２３ｅに収納してあり、そのケース２３を介してペルチェユニット２３を取付ボス部１２ａに取り付けるようになっている。
【００２８】
以上の構成により、本実施形態では、空気を冷却して結露させる水滴生成部２５を設け、ミスト発生部２０Ａは、水滴生成部２５で生じた水滴を分岐通路１０内で霧化するようにした。このため、空気中の水分を利用してミストＭを形成できるため、タンク等が不要あるいは小型化できるようになって髪ケア装置（本実施形態ではヘアードライヤー１Ａ）をよりコンパクトに構成できる上、液体の補充が不要となる分、使い勝手を向上することができる。
【００２９】
もちろん、本実施形態にあっても上記第１実施形態と同様に、送風路２の外郭３に、該送風路２内を流通する送風Ｗを分流する分岐通路１０を形成し、該分岐通路１０にミスト発生部２０Ａを設けた。このため、発生させたミストＭを送風路２に生じた送風Ｗの分流（空気流Ｆ）を利用して送出することができ、別個の通路に専用のファンや駆動モータを設けた場合に比べて、髪ケア装置をよりコンパクトに構成することができる。
【００３０】
以上、本発明の好適な実施形態について説明したが、本発明は上記実施形態には限定されず、種々の変形が可能である。例えば、上記第１、第２実施形態では、本発明にかかる髪ケア装置をヘアードライヤーとして実施した場合を例示したが、本発明は、かかる実施形態に限定されるものではなく、髪巻きアイロンや、ヘアーアイロン、ヘアーブラシ等のその他の髪ケア装置としても実施することができる。
【図面の簡単な説明】
【００３１】
【図１】本発明の第１実施形態にかかる髪ケア装置の断面図である。
【図２】本発明の第２実施形態にかかる髪ケア装置の断面図である。
【符号の説明】
【００３２】
１，１Ａ  ヘアードライヤー（髪ケア装置）
２  送風路
２ａ  空気吸込口
２ｂ  空気吹出口
３  外郭
４  ファン
１０  分岐通路
２０，２０Ａ  ミスト発生部
２１  吸引管（液体吸引部）
２２  タンク（液体貯留部）
２３  ペルチェユニット
２４  結露部
２５  水滴生成部
Ｍ  ミスト
Ｗ  送風
Ｆ  （分岐通路内の）空気流
【図１】
2009106339.tif 000003
【図２】
2009106339.tif 000004